(57)【要約】【課題】  スタッキングしたときテーブルの脚が各天板の外に突出することがなく、また、天板に対する脚の配置位置が、前後，左右で均等な配置（対称な位置）となるのみならず、スタッキングした各天板の中心が同軸上に揃うようにスタッキングできるテーブルを提供すること。【解決手段】  円形又は方形の天板１と該天板１を支持した４本の脚4a〜4dを備えたテーブルにおいて、前記天板１の外周上の均等に離間した４箇所に平面から見て窪んだ部位2a〜2dを形成すると共に、当該天板１の窪んだ部位2a〜2dに隣接した当該天板１の最大外径部1a〜1dに各脚4a〜4dを設けて成り、このテーブルをスタックするとき、上位のテーブルの各脚4a〜4dが下位のテーブルの窪んだ部位2a〜2dの内側に位置付けられるようにしたこと。【選択図】図１
2008086672.tif 000002
【特許請求の範囲】
【請求項１】
円形又は方形の天板と該天板を支持した４本の脚を備えたテーブルにおいて、前記天板の外周上の均等に離間した４箇所に平面から見て窪んだ部位を形成すると共に、当該天板の窪んだ部位に隣接した当該天板の最大外径部に各脚を設けて成り、このテーブルをスタックするとき、上位のテーブルの各脚が下位のテーブルの窪んだ部位の内側に位置付けられるようにしたことを特徴とするスタッキングできるテーブル。
【請求項２】
各窪んだ部位は、天板外周上の一の最大外径部から隣接する最大外径部に向かって斬次その天板の外径が小さくなるように、当該天板の外周辺を形成することにより設けた請求項１のスタッキングできるテーブル。
【請求項３】
天板の外周上に窪んだ部位を形成するため、当該天板の外径が斬次小さくなるように形成する天板外周辺は、緩やかな曲線又は直線により形成した請求項１又は２のスタッキングできるテーブル。
【請求項４】
４本の脚のうち隣り合う少なくとも２本の脚にキャスタを設けた請求項１〜３のいずれかのスタッキングできるテーブル。
【請求項５】
４本の脚は、天板下面に取付けた天板補強フレームに接続して設けた請求項１〜４のいずれかのスタッキングできるテーブル。
【請求項６】
補強フレーム、又は／及び、脚の上部の水平部分における下面側の天板の隅部寄りの少なくとも４箇所に、ゴム系又はプラスチック系の当接緩衝材を設けた請求項５のスタッキングできるテーブル。
【発明の詳細な説明】
【技術分野】
【０００１】
本発明は、平面視同形状の円形乃至方形の天板を備えたテーブルをスタッキングできるテーブル、より具体的にはスタックしたとき天板より外側へ脚がはみ出さないようにしたスタッキングできるテーブルに関する。
【背景技術】
【０００２】
従来からスタッキングできるようにしたテーブルや机乃至はこれらに類似した（以下、単にスタッキングできるテーブルという。）は、特許文献１や同２に記載されたものを始めとして公知であり、実用に供されているものもある。
【０００３】
しかし乍ら、従来のスタッキングできるテーブルは、スタッキングしたとき脚が天板の外側にはみ出す（突出する）ため、見映えが優れないという難点がある。
また、スタッキングできるようにするために、天板に対する脚の配置が、例えば天板の前後又は左右において同じ位置，形態でない（つまり、前後又は左右に関し対称でない）ため、この点も見た目の上では優れない。更に、スタックされた天板も下位から上位にいくに従って少しずつ中心がずれるため、この点で積層安定性を維持しにくいという問題もある。
【特許文献１】登録実用新案第３０９５７２２号公報
【特許文献２】実開昭６０−１５５３５１号公報
【発明の開示】
【発明が解決しようとする課題】
【０００４】
そこで本発明は、スタッキングできる従来のテーブルにおける上述したような問題点に鑑み、スタッキングしたときテーブルの脚が各天板の外に突出することがなく、また、天板に対する脚の配置位置が、前後，左右で均等な配置（対称な位置）となるのみならず、スタッキングした各天板の中心が同軸上に揃うようにスタッキングできるテーブルを提供することを、その課題とする。
【課題を解決するための手段】
【０００５】
上記課題を解決することを目的としてなされた本発明スタッキングテーブルの構成は、円形又は方形の天板と該天板を支持した４本の脚を備えたテーブルにおいて、前記天板の外周上の均等に離間した４箇所に平面から見て窪んだ部位を形成すると共に、当該天板の窪んだ部位に隣接した当該天板の最大外径部に各脚を設けて成り、このテーブルをスタックするとき、上位のテーブルの各脚が下位のテーブルの窪んだ部位の内側に位置付けられるようにしたことを特徴とするものである。
【０００６】
本発明テーブルは、上記構成において、各窪んだ部位は、天板外周上の一の最大外径部から隣接する最大外径部に向かって斬次その天板の外径が小さくなるように、当該天板の外周辺を形成することにより設けるとよい。また、窪んだ部位を形成するため、天板の外径が斬次小さくなるように形成する天板外周辺は、緩やかな曲線又は直線により形成することにより、デザイン上でも優れたテーブルを提供できる。さらに、上記構成に加え、例えば、４本の脚は、天板裏面に取付けた天板の補強フレームに接続して設けたり、或は、前記補強フレームや天板裏面に位置した脚構成部材の下面側の少なくとも４箇所に、ゴム系又はプラスチック系などの当接緩衝材を設けることができる。
【発明の効果】
【０００７】
本発明では、円形又は方形の天板と該天板を支持した４本の脚を備えたテーブルにおいて、前記天板の外周上の均等に離間した４箇所に平面から見て窪んだ部位を形成すると共に、当該天板の窪んだ部位に隣接した当該天板の最大外径部に各脚を設けて成り、このテーブルをスタックする際、上位のテーブルの各脚が下位のテーブルの窪んだ部位の内側に位置付けられるようにしたので、スタックしたとき、各天板の外に脚が突出することがないのみならず、各天板の中心を同軸上に揃えてスタッキングすることができる。
また、本発明テーブルはスタッキングしたとき、上位のテーブル下面が下位テーブルの天板面を傷付けることを防止することができ、さらには、４本の脚のうち少なくとも隣り合う２本の脚にキャスタを設ければ、部品点数を減じながらも、移動時やスタッキング時のテーブルの移動を楽に行うことができる。
なお、本発明は、天板が円形のテーブルに効果的に適用できるが、正方形のテーブルであっても、同じ効果を伴って適用できる。
【発明を実施するための最良の形態】
【０００８】
次に本発明テーブルの実施の形態例について、図を参照して説明する。
図１は本発明テーブルの一例における底面図、図２は図１のテーブルの正面図、図３は図１，図２のテーブルに使用した脚の正面図、図４は本発明テーブルの一例の斜視図、図５は図４のテーブルのスタッキング状態の斜視図、図６は本発明を方形天板に適用した例の平面図である。
【０００９】
図１において、１は平面視（底面視の場合も同じ）したとき、元の外形が円形をなす天板で、図１の例では、この天板１の外周上で90度間隔に離間した４箇所のポイント1a〜1dから、それぞれ反時計方向回りの隣のポイントに対して天板の外径が二次曲線的に徐々に減少し、当該隣のポイント直前で元の外径に戻るように天板１の外周形状を形成することにより、当該天板１の外周上に、４箇所の窪み部2a〜2dが形成されている。従って、上記４箇所の各ポイント1a〜1dの部位は、窪み部2a〜2dに隣接し、かつ、当該天板１の元の外径（直径）と同じ径の位置の突出部として残ることになる。本発明では、上記４つのポイント1a〜1dを、突出部1a〜1dともいう。
【００１０】
上記天板１は、元の外形が円形のものについての説明であるが、本発明テーブルは、元の外形が方形の天板にも適用することができる。即ち、天板１に元の外形が正方形の天板を用いると、図６に例示するように、当該天板に図１に例示した場合と同様の突出部1a〜1dと窪み部2a〜2dを形成することにより、以下に説明する本発明テーブルに構成することができる。なお、上記天板１の素材には、木質系，プラスチック系，金属系，これらを適宜併用したハイブリッド系など、任意の素材を用いることができる。
【００１１】
３は、図１に例示した天板１の裏面に配設した、ここでは一例として大略十字状をなす天板補強フレームで、図示した例では天板１の裏面において、当該フレーム３を構成する部材の４箇所の先端が、上記の４つのポイント1a〜1dに向って延びたように配置されている。なお、図１において3a〜3dは略十字状の補強フレーム３を形成するクロスメンバである。本発明において、補強フレーム３は、上記十字状形態のものに限られる訳ではない。例えば、角形囲い状，井桁状，同心円状などの補強フレームであってもよい。
【００１２】
略十字状の上記補強フレーム３における各クロスメンバ3a〜3dの先端には、その先端部がほぼ水平方向に曲げられた、図３に例示した大略逆Ｌ字状の４本の脚4a〜4dが、当該各脚4a〜4dの上部に位置した水平部分41a〜41dにおいて、接合一体化されている。このクロスメンバと脚の接合は、各クロスメンバ3a〜3dの先端部に、各脚4a〜4dにおける細径部42a〜42dを、夫々に挿入してなされている。なお、43a〜43dは、各脚4a〜4dの水平部分41a〜41dに設けた脚取付用の翼片状の取付部である。この取付部43a〜43dは、図２，図３では各水平部分に１個設けた例であるが、図１では２個設けられている。これにより４本の各脚4a〜4dは、天板１における突出部1a〜1dのほぼ真下に位置付けられ、天板１の外形からはみ出すことなく設けられることとなる。
【００１３】
上記の補強フレーム３と４本の脚4a〜4dは、ここではパイプ材（丸，角のいずれでも可）を用いたが、本発明における上記フレーム３や脚4a〜4dはパイプ材に限られるものではなく、アングル材のような材料や中実材を用いることもできる。また、各脚4a〜4dの下端にはキャスタ（図示せず）を設けることができるが、隣り合う２本の脚にのみ設ける（図示せず）こともある。
【００１４】
図１において、５は補強フレーム３における各クロスメンバ3a〜3dの先端寄りの下面に取付けたゴム系乃至プラスチック系などの緩衝パッドで、本発明テーブルをスタックしたときに上位天板１の裏面の最も出張った部分が下位天板１の表面を補強フレーム２などにより傷付けたりしないようにするためのものである。このパッド５の位置は、下位天板１の上で上位に来る天板１を接触状態で引きずるように扱うときなどにも、下位天板を傷付けることなないようにするため、補強フレーム３の適宜部位、例えば、中間部や各脚4a〜4bの水平部分41a〜41dの下面などに設けることがある。緩衝パッド５は、上記例のほか、布や皮などにより形成したものでもよい。
【００１５】
以上により、本発明を適用したテーブルの一例を構成する。
本発明テーブルは、元の外形が円形の天板１の外周上の夫々に90度離れた４箇所に窪み部2a〜2dと各窪み部2a〜2dに隣接した突出部1a〜1dとを備えているので、先に説明して図４に例示した天板１と４本の脚4a〜4dを備えたテーブルを、図５に例示したように、上位テーブルの各脚4a〜4dが、下位テーブルの天板１における窪み部2a〜2dに収まる態様でスタックできる。このようなスタッキング態様であるから、複数の本発明テーブルは、スタックするテーブル本数に比例して、各天板１の窪み部2a〜2dとその窪み部2a〜2dに収まる４本の脚4a〜4dとが、天板の中心を心として位相を少しずらし乍ら積層（スタッキング）することができる。
【００１６】
本発明テーブルは、上記スタッキング状態において、各テーブルの脚4a〜4dが天板１の外周からはみ出さないので、見ためも端整であり重量バランスもきわめて良好なスタッキング状態を実現できる。
因みに、公知のスタッキングできるテーブルでは、スタックすると天板の位置が徐々にずれていくため、重量バランス上不安定になり易く、従って、多数のテーブルをスタッキングし難い憾があった。
【００１７】
以上の説明した本発明テーブルは、天板１の元の外形が円形の天板に、突出部1a〜1dと窪み部2a〜2dを形成したものを例にとって説明したものであるが、本発明テーブルは、先にも述べたように元の外形が方形の天板にも適用できる。図６は天板１に元の外形が正方形の天板を用いた例の平面図であり、この天板１に突出部1a〜1dと窪み部2a〜2dを設ければ、図１〜図５により説明した円形天板の本発明テーブルと同様の取扱いをすることができ、同じ効果が得られる。なお、図６において、３は補強フレーム、4a〜4dは４本の脚である。また、図６の天板１において窪み部2a〜2dは直線で形成しているが、先の実施例のように曲線で形成することもできる。
【産業上の利用可能性】
【００１８】
本発明は以上の通りであって、円形又は方形の天板と該天板を支持した４本の脚を備えたテーブルにおいて、前記天板の外周上の均等に離間した４箇所に平面から見て窪んだ部位を形成すると共に、当該天板の窪んだ部位に隣接した当該天板の最大外径部に各脚を設けて成り、このテーブルをスタックするとき、上位のテーブルの各脚が下位のテーブルの窪んだ部位の内側に位置付けられるようにしたので、スタッキングしたテーブルの天板の外に脚がはみ出すことなく、また、各テーブルは各天板の中心がスタッキング時でも同軸上に位置するので、見た目の端正さは勿論、きわめて安定な状態のスタッキングを実現できるので、スタッキング状態での格納（収納）や移動などにおいても、至って取扱い易いという格別の利点がある。
【図面の簡単な説明】
【００１９】
【図１】本発明テーブルの一例における底面図。
【図２】図１のテーブルの正面図。
【図３】図１，図２のテーブルに使用した脚の正面図。
【図４】本発明テーブルの一例の斜視図。
【図５】図４のテーブルのスタッキング状態の斜視図。
【図６】本発明を方形天板に適用した一例の平面図。
【符号の説明】
【００２０】
１        天板
1a〜1d    突出部
2a〜2d    窪み部
３        補強フレーム
3a〜3d    クロスメンバ
4a〜4d    脚
５        緩衝パッド
【図１】
2008086672.tif 000003
【図２】
2008086672.tif 000004
【図３】
2008086672.tif 000005
【図４】
2008086672.tif 000006
【図５】
2008086672.tif 000007
【図６】
2008086672.tif 000008